(57)【要約】【課題】回路部品および電源等の冷却効果を高めるために、冷却用ファンを大型化しても、冷却用ファン等から発生するノイズが前方外部に漏洩しないようにする。【解決手段】本体ケース２４にＣＰＵ４５およびハードディスク４７を搭載し、前面板３０に吸入孔３４および冷却用ファン３５を設け、外側ケース２６の後方に吸入孔５０を設け、外側ケースで本体ケースの側面板の主要部および前面の吸入孔部分を覆うと共に本体ケースとの間に通気路５７、５８を形成し、外側ケースの側面板後方にある吸入孔より吸引されたエアを通気路を介して本体ケースの前面に設けた吸入孔より、本体ケース内部に吸入し、前記吸入したエアを排気孔より排出する。【選択図】図２
2007004347.tif 000002
【特許請求の範囲】
【請求項１】
吸入孔を有する前面板と、排気孔を有する背面板にて形成され、少なくともＣＰＵ、ハードディスクおよび冷却用ファンが搭載された本体ケースと、
閉塞された前面板と吸入孔を有する側面板とで形成された外側ケースとよりなり、
前記外側ケースで本体ケースの少なくとも側面板の主要部および前面板の吸入孔部分を覆い、本体ケースと外側ケースとの間に通気路を形成し、
前記外側ケースの吸入孔より吸引された外部のエアを前記通気路を介して前記本体ケースの前面板に設けた吸入孔より内部に吸入し、前記吸入したエアを排気孔より排出することを特徴とするパーソナルコンピュータの冷却装置。
【請求項２】
少なくともＣＰＵおよびハードディスクが搭載され、吸入孔および該吸入孔に面して冷却用ファンが設けられた前面板と、排気口を有する背面板にて形成された本体ケースと、
閉塞された前面板と後部に吸入孔を有する側面板とで形成された外側ケースとよりなり、
前記外側ケースで本体ケースの少なくとも側面板の主要部および前記前面板のエアを吸入する冷却用ファンを設けた吸入孔の部分を覆い、前記本体ケースと外側ケースとの間に通気路を形成し、
前記外側ケースの側面の後部にある吸入孔より吸引されたエアを前記通気路を介して本体ケースの前面板に設けた吸入孔より冷却用ファンにより前記本体ケース内部に強制吸入し、前記吸入したエアを排気孔より排出することを特徴とするパーソナルコンピュータの冷却装置。
【請求項３】
前記本体ケースのＣＰＵに面する部分に補助吸入孔およびエアを吸引するＣＰＵ冷却用ファンを設け、通気路のエアフローの一部を吸入孔より直接にＣＰＵに導くことを特徴とする請求項１記載のパーソナルコンピュータの冷却装置。
【請求項４】
前記補助吸入孔は前記通気路に連なり、本体ケースに窪みを設け形成したエアチャンバーに穿設したことを特徴とする請求項３記載のパーソナルコンピュータの冷却装置。
【請求項５】
前記補助吸入孔は外側ケースに設けた吸入孔よりずらした位置に設けたことを特徴とする請求項３記載のパーソナルコンピュータの冷却装置。
【請求項６】
ＣＰＵ冷却専用ファンが取り付けられた前記ＣＰＵに面する部分の本体ケースに窪みを設けて、外側ケースの後部に穿設した吸入孔近辺の通気路に連なるエアチャンバーを形成し、前記エアチャンバーに補助吸入孔およびエアを吸引するＣＰＵ冷却用ファンを設け、通気路のエアフローの一部を吸入孔より直接にＣＰＵに導くことを特徴とする請求項２記載のパーソナルコンピュータの冷却装置。
【請求項７】
前記排出孔の近辺にエアを排出する冷却用ファンを設け、下面に前記エアを排出する排気孔に設けた以外は前記冷却用ファンの背面および側面を背面カバーで閉塞したことを特徴とする請求項１記載のパーソナルコンピュータの冷却装置。
【請求項８】
前記排出孔の近辺にエアを排出する冷却用ファンを設け、下面に前記エアを排出する排気孔に設けた以外は前記冷却用ファンの背面および側面を背面カバーで閉塞し、前記本体ケース内に吸引したエアフローを外側ケースの側面板に設けた吸入孔とは異なる方向に排出することを特徴とする請求項２記載のパーソナルコンピュータの冷却装置。
【発明の詳細な説明】
【技術分野】
【０００１】
本発明は演算速度を高速度化したＣＰＵが搭載されたパーソナルコンピュータに用いられる冷却装置に関するものである。
【背景技術】
【０００２】
パーソナルコンピュータの高性能化が進み、特に本体ケース内に収納されているＣＰＵの演算速度が高速化されると発熱量が増大される。発熱量が多くなるほど冷却効率を高めるためには、本体ケースの前面板よりエアを冷却ファンにより強制吸引し、背面板より強制排出する必要がある。また冷却用のエアを強制吸引および強制排出する冷却用ファンを大型化する必要がある。さらにハードディスク等も記憶容量を大きくさるために多数使用するため、駆動用モータ等も多く搭載する必要がある。
【０００３】
図８は従来の高速化されたＣＰＵを用いたパーソナルコンピュータの冷却装置に関するものである。
【０００４】
ケース１の前面板２に吸入孔３、３、３を設け、外部からのエアを冷却用ファン４でケース１内部に強制吸引し、搭載されているハードディスク５等を冷却し、冷却用ファン６でもってケース１の背面板７に設けた排出孔８、８、８から強制排出している。
【０００５】
前述したように、ＣＰＵ１０は高速化されるほど発熱量が増大することと、ＣＰＵの冷却効果を上げるため、ＣＰＵに設けられたＣＰＵ冷却専用ファンはＣＰＵ１０の発熱の度合いによる回転の速度制御が行われており、ＣＰＵ１０の高温化による回転数上昇を抑えることが肝要であるため、ＣＰＵ１０は特に冷却する必要がある。そこでケース１の前面板２の吸入孔３、３、３から吸入されたエアとは別に、冷却ファン１１でもってケース１の側面１２に設けた吸入孔１４、１４、１４からもＣＰＵを冷却するためのエアを吸引し、ＣＰＵ１０を直接冷却している。
【０００６】
前述したように、高速化されたＣＰＵを用いたパーソナルコンピュータではケース１の前面板および背面板に大型の冷却用ファンを用いて前面板２の吸入孔３、３、３から吸入し、背面板７の排出孔８、８、８へのストレートなエアフローを作り出して冷却効果を上げている。
【０００７】
また特許文献１には冷却効果を上げ、且つノイズを低減する手段として冷却する各コンポーネントを情報機器内に固定し、この固定具にてダクトを形成し空気の流れを上流側から順に無駄なく作用させることが記載されている。
【特許文献１】特開２００１―１９５１５４号公報
【特許文献２】特開２００４―３２６３４３号公報
【発明の開示】
【発明が解決しようとする課題】
【０００８】
従来のパーソナルコンピュータでは冷却効果を上げるため、大型の冷却用ファン４、６を搭載し、ケースの前面板の吸入孔３、３、３から吸入エアを吸入し、背面板の排出孔８、８、８から加熱されたエアを排出している。そのために特にケース１の前面板２に搭載した冷却用ファン４のノイズが前面板の吸入孔３、３、３から直接外部に漏れ、パーソナルコンピュータを使用する者に耳障りとなった。
【０００９】
またＣＰＵの冷却効果を上げるためＣＰＵに取り付けられたＣＰＵ冷却専用ファンはＣＰＵの発熱量により可変回転方式を採用するものが普及し、最大のノイズ源となったため、ＣＰＵ冷却専用ファンの低回転を維持するために、ＣＰＵ冷却専用ファンの冷却用ファン１１を設置する必要性があり、ケース１の静音化はいっそう厳しい課題にさらされることとなった。
【００１０】
さらに記憶容量の増大のためハードディスクを多数使用するパーソナルコンピュータ等ではモータを多く使用するため、前記冷却用ファンのモータと相俟ってモータから発生するノイズがケース１と共振し、不快なノイズを発生した。
【００１１】
特許文献１の内部冷却構造でもファンを取り付けた吸入孔がケース前面板に露出されているので、ファンから発生するノイズは前方外部に漏洩する。
【課題を解決するための手段】
【００１２】
本発明は内部回路部品および電源等の冷却効果を高め、しかもノイズを低減させることができるようにしたもので、
少なくともＣＰＵ、ハードディスクおよび冷却用ファンが搭載され、吸入孔を有する前面板と、排気口を有する背面板にて形成された本体ケースと、閉塞された前面板と吸入孔を有する側面板とで形成された外側ケースとよりなり、前記外側ケースで本体ケースの少なくとも側面の主要部および前面板の吸入孔部分を覆うと共に本体ケースと外側ケースとの間に通気路を形成し、前記外側ケースの吸入孔より吸引されたエアを前記通気路を介して前面板に設けた吸入孔より本体ケース内部に吸入し、ケース内部を冷却したエアを排気孔より排出するパーソナルコンピュータの冷却装置を提供する。
【００１３】
本発明は少なくともＣＰＵおよびハードディスクが搭載され、吸入孔および吸入孔に面して冷却用ファンが設けられた前面板と、排気口を有する背面板にて形成された本体ケースと、閉塞された前面板と後部に吸入孔を有する側面板とで形成された外側ケースとよりなり、前記外側ケースで本体ケースの少なくとも側面板の主要部および前記前面板のエアを吸入する冷却用ファンを設けた吸入孔の部分を覆い、前記本体ケースと外側ケースとの間に通気路を形成し、前記外側ケースの側面の後部にある吸入孔より吸引されたエアを前記通気路を介して本体ケースの前面板に設けた吸入孔より冷却用ファンにより前記本体ケース内部に強制吸入し、前記吸入したエアを排気孔より排出するパーソナルコンピュータの冷却装置を提供する。
【００１４】
本発明は前記本体ケースのＣＰＵに面する部分に前記通気路に連なる補助吸入孔およびエアを吸引するＣＰＵ冷却用ファンを設け、通気路のエアフローの一部を補助吸入孔より直接にＣＰＵに導き、ＣＰＵを直接冷却するパーソナルコンピュータの冷却装置を提供する。
【００１５】
本発明は前記補助吸入孔を外側ケースに設けた吸入孔よりずらした位置に設け、補助吸入孔よりＣＰＵをダイレクト冷却するファンのノイズが外部に漏洩しないようにするパーソナルコンピュータの冷却装置を提供する。
【００１６】
本初明はＣＰＵに面する部分の本体ケースに窪みを設けて、外側ケースの後部に穿設した吸入孔近辺の通気路に連なるエアチャンバーを形成し、前記エアチャンバーに補助吸入孔およびエアを吸引するＣＰＵ冷却用ファンを設け、通気路のエアフローの一部を吸入孔より直接にＣＰＵに導くパーソナルコンピュータの冷却装置を提供する。
【００１７】
本発明は前記排出孔の近辺にエアを排出する冷却用ファンを設け、下面に前記エアを排出する排気孔設けた以外は前記冷却用ファンの背面および側面を補助カバーで閉塞し、排気孔に搭載した冷却用ファンのノイズが外部に漏れないようにすると共に、前記本体ケース内に吸引したエアフローを外側ケースの側面板に設けた吸入孔とは異なる方向に排出するパーソナルコンピュータの冷却装置を提供する。
【発明の効果】
【００１８】
本発明のパーソナルコンピュータの冷却装置は本体ケースの前面板に設けた吸入孔を前面板が閉塞された外側ケースで閉塞したので、冷却効果を上げるため本体ケースの前面板に吸入孔および吸入孔に面して大型の冷却用ファンを数個設け、吸引するエアを従来に比して数倍にしても、冷却用ファンあるいはハードディスクの駆動用モータ等のノイズが直接吸入孔から前方に漏れることが防止され、前方にいるパーソナルコンピュータの使用者に不快感を与えることがない。
【００１９】
本発明のパーソナルコンピュータの冷却装置は外部のエアの吸入孔は本体ケースの吸入孔から離れた外側ケースの側面板後方に設けたので、冷却用ファンあるいはハードディスクの駆動用モータ等のノイズが殆ど漏洩することがない。
【００２０】
本発明のパーソナルコンピュータの冷却装置は本体ケースの少なくとも側面の主要部および前記前面板のエアを吸入する冷却用ファンを設けた吸入孔部分を覆い二重構造にしたので、冷却用ファンあるいはハードディスクの駆動用モータ等を大型且つ複数設けることにより発生するノイズがケースで共振されることが防止され、従来共振により使用者に与えていた不快感を取り除くことができる。
【００２１】
本発明のパーソナルコンピュータのケース冷却装置は本体ケースと外側ケースとの間に通気路を形成し、外側ケースの吸入孔より吸引されたエアを通気路を介して前面板に設けた吸入孔より本体ケース内部に吸入するようにしたので、本体ケースの側面板と外側ケースの側面板間に形成された側部の通気路にエアフローができ本体ケースを冷却するため、本体ケースの内部が一層冷却され、冷却効果を高める。
【００２２】
本発明のパーソナルコンピュータの冷却装置はＣＰＵ冷却専用ファンを取り付けたＣＰＵを直接冷却するパーソナルコンピュータにおいて、外部からのエアを吸入するため外側ケースに形成した補助吸入孔と本体ケースに設けたＣＰＵ吸入孔の位置ずらしたので、ＣＰＵをダイレクト冷却するために設けたＣＰＵ冷却用ファンのノイズが外部に漏洩することも防止できる。
【００２３】
本発明のパーソナルコンピュータの冷却装置はＣＰＵを直接冷却するのに通気路に連なるエアチャンバーを形成したので、通気路のエアフローの一部を容易に本体ケース内に吸引できる。しかも外側ケースの吸入孔近辺にエアチャンバーを設けたので、加熱されていない外部にエアが吸引されるので、冷却効果が高められる。
【発明を実施するための最良の形態】
【００２４】
図１〜図７は本発明のパーソナルコンピュータの冷却装置に関するものである。
【００２５】
図１は本発明の冷却装置を施したパーソナルコンピュータの全体の斜視図である。パーソナルコンピュータ本体２０は本体ケース２４と背面カバー２２よりなる。
【００２６】
図２は本発明のコンピュータの冷却装置の横断面図、図３は同じく本発明のコンピュータの冷却装置の斜視図である。本体ケース２４は側面板２８、２９と前面板３０、背面板３１、天板３２および底板３３とよりなる。
【００２７】
図３に示すように、側面板２８、２９の主要部分２５を凹ませてあり、また前面板３０には吸入孔３４、３４が設けられている。吸入孔３４、３４に面してエアを強制吸入するための２個の大型の冷却用ファン３５、３６が取り付けられている。
【００２８】
また図４に示すように、背面板３１には排気孔３７、３７が設けられ、排気孔３７、３７に面して本体ケース２４内部に吸引したエアを強制排出するための２個の冷却用ファン３８、３８が設けられている。
【００２９】
図２および図３に示すように、本体ケース２４の一方の側面板２８の後部に開口３９を形成し、開口３９には補助側面板４０にて内方に突出するエアチャンバー４１を形成している。エアチャンバー４１に形成した補助吸入孔４２にはＣＰＵ冷却用ファン４３が取り付けられている。本体ケース２４にはＣＰＵ冷却用ファン４３に面してＣＰＵ冷却専用ファン４４を有するＣＰＵ４５が搭載され、さらに吸入孔３４、３４に面して取り付けられた冷却用ファン３５、３５の近傍には複数個のＨＤＤ４７等の電気部品その他コンピュータに必要な電気部品および機械部品が搭載されている。
【００３０】
図２および図５に示すように、外側ケース２６は後部に多数の吸入孔５０、５０を穿設した左右の側面板５１、５１と前面板５３とよりなる。側面板５１、５１は上下にコの字状に屈曲する縁部５４、５４を有する。また前面板５３は孔を有しない平面板５５と周囲が囲まれた縁部５６でもって閉塞された蓋状に形成している。
【００３１】
図４および図６に示すように、背面カバー２２は本体ケース２４の背面板３１に面する面および下面を除いて閉塞されたダクトを構成し、本体ケース２４の背面板３１に穿設された排気孔３７、３７を直接外部に露出されないように覆っている。
【００３２】
前述した外側ケース２６の側面板５１、５１の縁部５４、５４は本体ケース２４の側面板２８、２９の主要部分に当たることにより側面板２８と側面板５１および側面板２９と側面板５１との間に間隔ができ側部の通気路５７、５７を形成している。さらに外側ケース２６の前面板５３は吸入孔３４、３４を間隔おいて閉塞するように本体ケース２４の前面板３０に取り付け、吸入孔３４、３４が前方外部に露出されないようにすると共に、側面板５１、５１の縁部５４、５４に外側から嵌合することにより通気路５７、５７に連なる前部の通気路５８を形成している。
【００３３】
本発明のパーソナルコンピュータの冷却装置は上述した構成をなしており、パーソナル
コンピュータを動作させると、ＣＰＵ４５およびＨＤＤ４７等が動作を開始すると共に冷却用ファン３５、３６、３８およびＣＰＵ冷却用ファン４３、ＣＰＵ冷却専用ファン４４も駆動される。
【００３４】
図７に示すように、冷却用ファン３５、３６が駆動されると、外側ケース２６の側面板５１、５１の後部にある吸入孔５０、５０から外部のエアが吸入され、吸入されたエアフロー６０は通気路５７、５７および通気路５８を通って前面板３０に設けた吸入孔３４、３４から本体ケース２４内に２個の冷却用ファン３５、３５により従来に比して２倍以上の強制吸入効果が得られる。本体ケース２４の内部に吸入されたエアフロー６１はハードディスク４７を始め搭載されている各電気部品および回路部品を冷却する。
【００３５】
各電気部品および回路部品を冷却し加熱されたエアフロー６１は冷却用ファン３８、３８にて強制的に排気孔３７、３７から背面カバー２２で形成されたダクトを通って、ダクトの下面の開口から外部に放出される。
【００３６】
一方冷却効率を上げるために、ＣＰＵ４５に設けたＣＰＵ冷却専用ファン４４はＣＰＵ４５の発熱量に応じた可変回転方式を採用するものが多く、最大のノイズ源とされるＣＰＵ冷却専用ファン４４のＣＰＵ４５による温度上昇による高速回転化を防止するためには、さらなるＣＰＵ４５をダイレクト冷却するＣＰＵ冷却用ファン４３の設置により外気を導入し冷却する必要がある。本発明のコンピュータの冷却装置では側部の通気路５７に連なるエアチャンバー４１を設け、通気路５７のエアフローの一部を吸引し易くし、エアチャンバー４１に設けた補助吸入孔４２からＣＰＵ冷却用ファン４３にてエアフロー６０の一部を本体ケース２４内に強制吸入して、強制吸入したエアフロー６２をＣＰＵ４５に直接当てて、ＣＰＵ４５をダイレクト冷却する。
【００３７】
前述において、冷却用ファン３５、３６は本体ケース２４の前面板３０に取り付け、吸入孔３４、３４からエアフローを強制吸入しているが、前面板３０に設けられた吸入孔３４、３４は外側ケース２６の前面板５３で閉塞され、外部からエアを吸入する吸入孔５０は外側ケース２６の後方に設けたので、冷却用ファン３５、３６および駆動用モータのノイズが直接前方外部に漏洩することがない。
【００３８】
また本体ケース２４の側面板２８、前面板３０の主要部分は二重構造にされているので、モータ等のノイズで本体ケース２４が共振し、不快なノイズを発生することもなく、また通気路５７、５７のエアフロー６０、６０で本体ケース２４の側面板２８、２９が冷却されるため、本体ケース２４内も冷却される。
【図面の簡単な説明】
【００３９】
【図１】本発明のパーソナルコンピュータの冷却装置の斜面図である。
【図２】本発明のパーソナルコンピュータの冷却装置の横断面図である。
【図３】本発明のパーソナルコンピュータの冷却装置の外側ケースを外した前方より見た斜視図である。
【図４】本発明のパーソナルコンピュータの冷却装置の外側ケースを外した後方より見た斜視図である。
【図５】本発明のパーソナルコンピュータの冷却装置の本体ケースと分解した外側ケースの前方より見た斜視図である。
【図６】本発明のパーソナルコンピュータの冷却装置の後方より見た斜視図である。
【図７】本発明のパーソナルコンピュータの冷却装置のエアフローを示す横断面図である。
【図８】従来のパーソナルコンピュータの冷却装置の横断面図である。
【符号の説明】
【００４０】
２０                  パーソナルコンピュータ本体
２４                  本体ケース
２６                  内側ケース
２８                  側面板
３０                  前面板
３１                  背面板
３４                  吸入孔
３５                  冷却用ファン
３６                  冷却用ファン
３７                  排出孔
３８                  冷却用ファン
４２                  補助吸入孔
４３                  ＣＰＵ冷却用ファン
４４                  ＣＰＵ冷却専用ファン
４５                  ＣＰＵ
４７                  ハードディスク
５０                  吸入孔
５１                  側面板
５３                  前面板
５７                  通気路
５８                  通気路
【図１】
2007004347.tif 000003
【図２】
2007004347.tif 000004
【図３】
2007004347.tif 000005
【図４】
2007004347.tif 000006
【図５】
2007004347.tif 000007
【図６】
2007004347.tif 000008
【図７】
2007004347.tif 000009
【図８】
2007004347.tif 000010